(57)【特許請求の範囲】
【請求項１】
スノーボードに取付け、かつ前記スノーボードにスノーボード用ブーツ（１）を固定するためのスノーボード用結合装置であって、前記スノーボード用ブーツは、その側部から延びる少なくとも１つの突起（５）を含み、前記スノーボード用結合装置は、前記スノーボード用ブーツの踵を前記スノーボードに押え付けるように構成され、前記スノーボード用結合装置は、
少なくとも１つの支持ジョー（１３）を備え、前記少なくとも１つの支持ジョーは、前記支持ジョーの上部および内部部分に形成されたくぼみ（１５）を含み、前記くぼみは、前記くぼみの長さ方向に対して横方向に前記ブーツの側部から延びる前記突起（５）を受けるように適合され、さらに
前記くぼみ（１５）に設けられた少なくとも１つのロック要素（１６，１６ａ）を備え、前記ロック要素は、ロック部分（２１，２１ａ）が前記くぼみ（１５）に到達する錠止配置と、前記ロック部分（２１，２１ａ）が前記くぼみの外側に置かれる非錠止配置との間で移動可能であり、前記ロック要素の前記ロック部分（２１，２１ａ）は前記錠止配置において前記突起（５）と係合し、前記突起（５）を前記くぼみ（１５）に固定する、スノーボード用結合装置。
【請求項２】
前記少なくとも１つの支持ジョーが、間に前記スノーボード用ブーツを受けるように構成された対向する１対の支持ジョー（１３）を含み、前記少なくとも１つのロック要素は、それぞれの支持ジョーに設けられた対向する１対のロック要素（１６，１６ａ）を含み、前記各支持ジョー（１３）は、前記スノーボード用ブーツのそれぞれの側から延びる突起（５）を受けるためのくぼみ（１５）を含む、請求項１に記載のスノーボード用結合装置。
【請求項３】
スノーボードに取付け、かつ前記スノーボードにスノーボード用ブーツ（１）を固定するためのスノーボード用結合装置であって、前記スノーボード用結合装置は、
前記スノーボード用結合装置の両側にそれぞれ置かれ、前記ブーツを固定するための１対のロック要素（１６，１６ａ）と、
作動レバー（２７）とを備え、前記作動レバーは、この作動レバーの作動により前記各ロック要素が非錠止配置になり前記結合装置から前記スノーボード用ブーツが取外されるようにするように前記ロック要素に結合される、スノーボード用結合装置。
【請求項４】
前記結合装置が、前記スノーボード用ブーツのための１対の支持ジョ
ー（１３）を含み、前記各支持ジョーはくぼみ（１５）を有し、前記くぼみは、前記ブーツに設けられた突起（５）を受けるように互いに対向配置され、前記ロック要素（１６，１６ａ）は前記くぼみ（１５）と協働する、請求項３に記載のスノーボード用結合装置。
【請求項５】
前記各くぼみ（１５）が、前記それぞれの支持ジョー（１３）の上部および内部に形成される、請求項４に記載のスノーボード用結合装置。
【請求項６】
前記各ロック要素（１６，１６ａ）が、ロック部分（２１，２１ａ）が前記くぼみに到達する錠止配置と、前記ロック部分（２１，２１ａ）が前記くぼみの外側に置かれる非錠止配置との間で移動可能である、請求項４または５のいずれかに記載のスノーボード用結合装置。
【請求項７】
前記各ロック要素（１６，１６ａ）が、前記それぞれのくぼみ（１５）に隣接した前記それぞれの支持ジョー（１３）に装着される、請求項２および４から６のいずれかに記載のスノーボード用結合装置。
【請求項８】
前記支持ジョーが、前記ブーツの踵領域を受けるように構成される、請求項２および４から７のいずれかに記載のスノーボード用結合装置。
【請求項９】
前記各支持ジョーには、前記くぼみ（１５）の入口に隣接して、前記くぼみ（１５）に前記それぞれの突起（５）が容易に入るようにする斜面（１７）を設けた、請求項１、２および４から８のいずれかに記載のスノーボード用結合装置。
【請求項１０】
前記１対の支持ジョー（１３）は、互いに所定の固定された距離だけ隔てて設けられている、請求項２および４から８のいずれかに記載のスノーボード用結合装置。
【請求項１１】
前記各支持ジョー（１３）がその対向壁部間に空間を規定し、前記それぞれのロック要素（１６，１６ａ）が前記空間内に設けられる、請求項２および４から１０のいずれかに記載のスノーボード用結合装置。
【請求項１２】
各ロック要素（１６，１６ａ）に結合され、前記ロック要素を前記非錠止配置になるよう移動させる軸（２０）をさらに含む、請求項１から１１のいずれかに記載のスノーボード用結合装置。
【請求項１３】
前記各ロック要素（１６，１６ａ）がこの各ロック要素（１６，１６ａ）に共通の軸（２０）に結合され、前記軸（２０）は、前記非錠止配置になるよう前記ロック要素を移動させるために前記作動レバー（２７）によって回転する、請求項３に従属する請求項１２に記載のスノーボード用結合装置。
【請求項１４】
前記作動レバー（２７）が前記軸（２０）に作用して前記ロック要素（１６，１６ａ）を解放し、それにより前記結合装置を前記ロック配置から解放するように配置される、請求項１３に記載のスノーボード用結合装置。
【請求項１５】
前記軸（２０）が前記支持ジョー（１３）間の面（１２）の下に延びる、請求項２および４から１１のいずれかに従属する、請求項１２または１３に記載のスノーボード用結合装置。
【請求項１６】
前記ロック要素（１６，１６ａ）間に面（１２）をさらに含み、前記軸（２０）は前記面（１２）の下に延びる、請求項２および４から１１のいずれかに従属する、請求項１２または１３のいずれかに記載のスノーボード用結合装置。
【請求項１７】
前記軸（２０）が前記くぼみの間に延び、前記それぞれのくぼみの前記ロック要素（１６，１６ａ）を互いに結合する、請求項２および４から１１のいずれかに従属する、請求項１２または１３のいずれかに記載のスノーボード用結合装置。
【請求項１８】
前記支持ジョー（１３）間に配置された面（１２）をさらに含み、前記面（１２）は、前記スノーボード用ブーツが前記結合装置に配置されたときに前記ブーツのソールの下面から隔てられて配置され、前記面は、前記ブーツが前記結合装置に入れられたときに前記ブーツのソール上の雪を除去するような楔形状である、請求項２および４から１４のいずれかに記載のスノーボード用結合装置。
【請求項１９】
前記結合装置が前端および後端を含み、前記作動レバー（２７）は、前記前端と前記後端との間に延びる前記結合装置の側部に沿って位置付けられる、請求項３、１３または１４のいずれかに記載のスノーボード用結合装置。
【請求項２０】
前記軸（２０）に装着されたキャッチ要素（２３）をさらに含み、それにより、前記作動レバー（２７）を動かすと、前記固定レバー（２２）が最初に移動し、それにより前記ロック要素（１６，１６ａ）が解放され、その後、前記作動レバー（２７）をさらに移動させることにより、前記ロック要素（１６，１６ａ）が前記非錠止配置になるよう移動する、請求項１３または１４に記載のスノーボード用結合装置。
【請求項２１】
前記各ロック要素（１６，１６ａ）が、前記突起（５）が前記くぼみ（１５）の中に入るよう移動する際に、前記錠止配置から前記非錠止配置になるよう移動するように構成される、請求項１、２および４から２０のいずれかに記載のスノーボード用結合装置。
【請求項２２】
前記各ロック要素（１６，１６ａ）が傾斜面（３６）を含み、前記傾斜面は前記突起（５）と係合可能であり、前記突起（５）が下向きに移動することに応じて前記ロック要素を移動させる、請求項２１に記載のスノーボード用結合装置。
【請求項２３】
前記１対のロック要素（１６，１６ａ）は互い平行な関係を有する、請求項２から２２のいずれかに記載のスノーボード用結合装置。
【請求項２４】
前記ロック部分（２１，２１ａ）が、前記くぼみ（１５）の上部に配置される、請求項１、２または６のいずれかに従属する、請求項１から２３のいずれかに記載のスノーボード用結合装置。
【請求項２５】
前記各ロック要素（１６，１６ａ）が湾曲形状のロック部分（２１，２１ａ）を有する、請求項１から２４のいずれかに記載のスノーボード用結合装置。
【請求項２６】
前記ロック要素（１６，１６ａ）がフック形状である、請求項１から２５のいずれかに記載のスノーボード用結合装置。
【請求項２７】
前記各ロック要素（１６，１６ａ）が、前記錠止配置になるように傾けられる、請求項１から２６のいずれかに記載のスノーボード用結合装置。
【請求項２８】
前記各ロック要素（１６，１６ａ）が、ばね部材（３５）によって前記錠止配置になるよう傾けられる、請求項２３に記載のスノーボード用結合装置。
【請求項２９】
前記ロック要素（１６，１６ａ）を前記非錠止配置に維持するためのラチェットレバー（２８）をさらに含む、請求項１から２８のいずれかに記載のスノーボード用結合装置。
【請求項３０】
前記結合装置が前記錠止配置から不本意に解放されることを防止するように適合された安全レバー（２２）をさらに含む、請求項１から２９のいずれかに記載のスノーボード用結合装置。
【請求項３１】
前記安全レバー（２２）が、前記軸（２０）に対して平行に延びる軸を中心として旋回可能である、請求項１２から１７のいずれかに従属する、請求項３０に記載のスノーボード用結合装置。
【請求項３２】
前記結合装置が前端および後端を有し、前記各ロック要素（１６，１６ａ）は、前記ロック要素が前記非錠止配置になるよう移動するにつれて、前記結合装置の後端に向かう方向に移動可能である、請求項１から３１のいずれかに記載のスノーボード用結合装置。
【請求項３３】
前記ブーツのつま先部分を押え付けるための前部結合要素（８）をさらに含む、請求項１から３２のいずれかに記載のスノーボード用結合装置。
【発明の詳細な説明】
【０００１】
【産業上の利用分野】
本発明は特許請求の範囲の請求項１のプリアンブル（前提部分）に記載のスノ−ボ−ド等の滑り板の結合装置および同請求項１７のプリアンブルに記載の装置に用いられるブ−ツに関する。
【０００２】
【従来の技術】
スノ−ボ−ドの結合具は既知のものであり且つ基本的には前部結合要素と後部結合要素からなり、該前部結合要素はスプリングワイヤからなるフ−プを形成し、使用されるブ−ツはそのブ−ツ底部の前端の突出部が該フ−プに嵌め込まれる。後部結合要素は既知の結合具の場合、同様にスプリングワイヤからなる弾性的に変形し得るフ−プからなる。そこにはクランプレバ−又は死点を越えるレバ−が揺動自在に備えられ、該レバ−はブ−ツが結合具に固定された際にブ−ツ底面の踵の区域に突出するブ−ツの部分に係合し、結合具に固定される。
【０００３】
【発明が解決しようとする課題】
既知の結合具もしくは既知の結合装置では結合具を開閉する際に比較的大きな力が負荷される欠点があった。この欠点はリフトを利用する場合、安全性の理由から両脚の一方をスノ−ボ−ドから解放しなければならないので特に深刻である。リフトに乗る前に結合具を開くため煩雑で力を要する作業を要し且つリフトを降りた後にも結合具を閉じるのに煩雑で力を要する作業が必要になる。
【０００４】
さらに既知の結合装置では滑り板又はスノ−ボ−ドへのブ−ツの固定が、クランプに大きな力を要するにも拘らず適切ではなく、そして特に踵の区域でのブ−ツの側方の固定に関しても不適切である。クランプ力が大きいことは弾力のある側方の回避（いわゆる制御し得ない横方向のたわみ）が起り得ることであり、それによってスノ−ボ−ドの最適コントロ−ル（特にエッジ圧力のコントロ−ル）が不可能になる。
【０００５】
本発明の目的はこれらの欠点を除去し且つ簡単で容易な操作により、ブ−ツを結合具に、従ってまたスノ−ボ−ドに対し信頼性のある固定を保証する結合装置を提供することである。
【０００６】
【課題を解決するための手段】
この目的を達成するため特許請求の範囲第１項の特徴部分による結合装置が提供される。即ち、本発明による結合装置はブ−ツの前端に在る面又は段部に係合する保持要素を有する前部結合要素と、フ−ツに備えられる突起に係合する少なくも１つのロック要素によってブ−ツがその踵の区域で固定され得る後部結合要素からなり、結合部においてブ−ツの長手方向軸線に垂直及びブ−ツの底面に平行もしくはほぼ平行に延びる第１の軸線方向にブ−ツを保持するため後部結合要素は２つの支持面を形成し、ブ−ツが結合部に配置されるとブ−ツの対向面がそれらの支持面に近接し、後部結合要素はジョ−に備えられた少なくも１つのくぼみを有し且つ該くぼみは突起を受け入れるため開口を備え、突起は受け入れられた後にロック要素によって該くぼみ内に錠止される結合装置において、ロック要素は少なくも１つのくぼみに備えられ、該少なくも１つのくぼみはくぼみを備えるジョ−におけるスリットからなり、該スリットは滑り板又はスノ−ボ−ドから離れる側のジョ−の上側に開き且つ該上側に該スリット内に突起を導入するための開口を有し、及び突起はスリットに入る際はその長手方向はスリットの長手方向に垂直又は横方向になっていることを特徴としている。
また結合装置に使用されるブ−ツは特許請求の範囲の請求項１７の特徴部分、即ち踵の区域に該ブ−ツの外側面を越えて突出する少なくも１つのピン又は突起を有する特徴を含む。
【０００７】
【作用】
本発明による結合装置では、前部結合要素に導入された後に少なくも１つの延長部又は突起を後部結合要素のくぼみに導入し且つロック要素によってそこに錠止することにより、結合部へのブ−ツの固定又は結合を簡単且つ好適に行なうのを可能にする。それ故、結合部へのブ−ツの固定は、滑り板又はスノ−ボ−ドにブ−ツを保持するかたいばねによるクランプを要しないで、従ってまた力の負荷を要しないで行なわれる。また、結合部からブ−ツを解放するにも力の負荷を要しないで可能である。
【０００８】
ブ−ツの軸線に対し横方向に作用する力は後部結合要素の支持面により及びこれらの支持面と共働するブ−ツの対向面によってコントロ−ルされて受けられる。該支持面は例えば少なくも１つのくぼみの面及び／又は該くぼみの外側の後部結合要素の面である。該対向面は少なくも１つの突起の面及び／又はブ−ツの面である。
【０００９】
本発明の好適な実施形態では、ブ−ツの踵の区域においてブ−ツの長手方向に延びる各側面に突起が形成され、該突起の長手方向はブ−ツの軸線に垂直又は横方向である。この構成では、スノ−ボ−ドの傾斜によって回転モ−メントが生じるように、ブ−ツの軸線のまわりに作用するレバ−力又は回転モ−メントがブ−ツとスノ−ボ−ドとの間で直接伝達することも可能である。これにより走行方向の同時的な機動性での直接のエッジコントロ−ルが達成される。
【００１０】
特に本発明による結合装置の前部結合要素がスプリングフ−プで形成されれば、本発明では前部結合要素と後部結合要素の間のブ−ツのクランピングは常に同じ力で、そして特にまた最適な力で達成されるので、走行の力学により結合部からブ−ツが不用意に外れることが防止される。
【００１１】
本発明のさらに他の特徴は従属項の主題である。次に本発明を図面を参照のもとに実施例に関し説明する。
【００１２】
【実施例】
図中、１は特殊なスキ−ブ−ツ又はスノ−ボ−ドブ−ツの形のブ−ツであり、該ブ−ツは通常のスキ−ブ−ツの場合のように、その底部の区域において少なくもブ−ツの前側に結合要素と係合し得るエッジ又は段部３を有する。
【００１３】
ブ−ツ１は踵４に２つの突起５を有し、各突起はブ−ツの長手方向に延びる踵４の側面を越えて突出する。図示の例では、これらの突起５は互に同軸であってブ−ツの長手方向軸線に対し横方向であり且つ高力材、好ましくはステンレス鋼の丸棒により、ブ−ツの踵４の区域を貫通する長さに形成される。
【００１４】
図１および図２に示すように、結合部６は本質的にベ−ス板７からなり、その底面は図示しないスノ−ボ−ドの上面に固定され得る。ベ−ス板の上面には２つの結合要素、即ち前部結合要素８と後部結合要素９が固定され、該前部結合要素はベ−ス板７の上側に固定された板１０からなり、該板１０はフ−プ１１を有する。２つの結合要素８、９の少なくも一つは、結合部６が種々の靴の大きさに適合し得るように、ベ−ス板７の長手方向に移動可能になっている。
【００１５】
ブ−ツ１が結合部６に固定されると、該ブ−ツは段部３によってフ−プ１１で保持され且つその底部２の下面はブ−ツの前側の区域においてブ−ツの前側に向き合ってその後側に置かれた板１０の上に置かれる。前部結合要素８のこの構成により、ブ−ツ１が結合部６に固定された際に、結合部のすべての部分はブ−ツの前端に関し後方に置かれるので、結合部６は短い長さを有する。
【００１６】
後部結合要素９は各種形態に関係なく、詳しくは２つの側部の支持ジョ−１３を有し、その間に表面１２が備えられ且つその間に結合部６に固定されたブ−ツ１を踵４の区域で受け入れ、即ちブ−ツの長手方向に延びる踵４の側面のための互に向き合う内側に垂直な支持面１４を有する。表面１２はブ−ツ１が結合部６に配置されると底部２又は踵４の下側面から離れており且つさらに傾斜して又はくさび状に形成されるので、踵の下側に付着する雪の塊はブ−ツ１を結合部に挿入した際に傾斜面１２によって剥離される。
【００１７】
各支持ジョ−１３はさらに支持面１４にスリット１５を有し、該スリットはベ−ス板７の反対側の支持ジョ−の上面に開いており、ブ−ツ１を結合部６に固定するため該スリット中に突起５が挿入される。以下に記載するロック要素１６を備える結合機構もしくはロック装置によって、突起５は対応のスリット１５に錠止され得る。
【００１８】
各突起５が対応のスリット１５に入るのを容易にするため、各支持ジョ−１３の上面は、少なくもその一部区域は傾斜面１７として形成され、該傾斜面は結合要素８から遠方の結合要素９又は支持ジョ−１３の端部から対応のスリット１５に向かって下向きに傾斜する。同様な傾斜面１８がスリット１５の他の側にも形成されている。
【００１９】
さらに各スリット１５は該スリットの長手方向が面Ｅ内に在るように傾斜し、該面はベ−ス板７の面に対し９０度より小さい角度であり、該角度は結合要素８から離れる側に開く。
【００２０】
ブ−ツ１を結合部６に固定するため、先ずブ−ツの先端が結合要素８のフ−プ１１に挿入される。この挿入の後、各突起５がスリット１５の上端、即ち傾斜面１７から該スリットへの境界部に置かれるように操作される。ブ−ツ１の踵部を押し下げることによって各突起５は対応のスリット１５に挿入される。スリット１５の上記傾斜により、或る角度のフ−プ面を形成するフ−プ１１が容易に弾性変形し、従って特に段部３に確実に係合して結合部におけるブ−ツの所要のクランプが達成される。
【００２１】
結合部６は過度の力を負荷することなくスノ−ボ−ドをブ−ツに簡単に取付けるのを可能にする。２つの結合要素８と９はベ−ス板７に不動に又は少なくもほぼ不動に固定されるので、スノ−ボ−ドの最適な操作を保証するスノ−ボ−ドへのブ−ツの不動の取付けが確保される。
【００２２】
後部結合要素９は異なる形態をとることができ且つ異なる仕方でベ−ス板７に固定することもできる。
【００２３】
図５および図６は可能な実施例として、それぞれハウジングとして形成される２つの部分ジョ−１３が水平面１２も形成する２つのスチ−ルフ−プ又はフ−プ状接合片１９によって互に接続され且つ分離される結合要素９ａを示す。接合片１９によって結合要素９ａは例えばベ−ス板７に直接ねじ止めされる。
【００２４】
図６はそれぞれのハウジング状の支持ジョ−１３内に収められるロック装置の要素を詳細に示す。ロック装置はとりわけ鉤形のロック要素１６からなり、該ロック要素は表面１２の下の一端で軸２０に揺動可能に備えられ、該軸は２つの支持ジョ−１３の間に延び且つ両端でそれらの支持ジョ−に揺動可能に支持される。軸２０は表面１２の下に在る。さらに軸２０の軸線はスリット１５の長手方向又はその中心線を含む共通面Ｅ内に在る。
【００２５】
各ロック要素１６は上端に鉤状の部分２１を有し、該部分は軸２０の軸線のまわりにロック要素１６が揺動すると、ロック要素１６又は部分２１がスリット１５の外側及び該スリットの側部に位置する図６に点線で示す非ロック位置から、ロック要素１６の鉤状の部分２１が対応のスリット１５に達し且つこのスリットの上端の区域、従ってスリット１５の中に在る突起５に係合しスリット１５から外れるのを防ぐ位置に揺動し得る。
【００２６】
軸２０の軸線が面Ｅ内に在る上記の構成により、突起５を介して該突起をスリット１５から外すためにロック要素１６に作用する力は拘束の解放又はロック要素１６を非錠止位置に戻す揺動の力ではない。さらに図示しないばね要素、例えば板ばねによって、非錠止位置において結合要素８の方に向いたスリット１５の側に在る各ロック要素１６は錠止位置に押される。
【００２７】
さらにロック装置は軸２０の軸線に平行な軸のまわりに揺動し得る安全レバ−２２を含み、該レバ−はロック要素１６が錠止位置に在る際に該ロック要素の面に衝合し且つそれによってロック要素１６がその錠止位置から外れる望ましくない揺動を防ぐ。軸２０にはフォロア２３が取付けられ、該フォロアは安全レバ−２２と共働する操作面２４及びロック要素１６の当接部２５と共働する面２６を有する。支持ジョ−１３を越えて突出する軸２０の端部には作動レバ−２７が備えられる。この作動レバ−、従って軸２０の揺動により錠止位置のロック要素１６は解放され得る。その際、先ず面２４によって安全レバ−２２が揺動してロック要素１６を解放する。
【００２８】
フォロア２３がさらに揺動すると、面２６は当接部２５に当り、それによってロック要素１６は図示しないばねの作用に対抗して移動され且つ非錠止位置に揺動する。ラチェットレバ−２８は錠止位置に在るロック要素１６の面に係合して該要素を非錠止位置に保持する。ラチェットレバ−２８は付加部２９を有し、該付加部は対応のスリット１５の中に突出する。また安全レバ−２２およびラチェットレバ−２８のために図示しないばね要素が備えられ、該ばね要素はロック要素１６を錠止位置に保持する位置に安全レバ−を押し且つロック要素１６を非錠止位置に保持する位置にラチェットレバ−２８を押す。
【００２９】
図１１ないし図１３はロック装置の要素の作用を示す。図１１には解放されたロック要素１６において突起５をスリット１５に挿入する状態を示す。突起５が付加部２９に衝合すると、ラチェットレバ−２８の揺動によりロック要素１６は解放され、次いで図１２に示す錠止位置に揺動し、該錠止位置でロック要素１６はまた安全レバ−２２によって保持される。
【００３０】
図１３は作動レバ−２７によって解放される際のロック装置の状態を示し、この図における安全レバ−２２の位置ではロック要素１６は既に解放され且つフォロア２３は当接部２５に衝合している。
【００３１】
図７ないし図１０に示す実施例では結合要素９ａは完全に固定されるものではなく、或る程度移動可能にベ−ス板７に設置される。このため中間の又は取付用の板３０が用いられ、該板の表面に一対の板状の支持要素３１が備えられ、各支持要素は支持心棒又はピン３２を有する。該ピンは支持ジョ−１３の間の接合片１９に設けられた孔３３に嵌合する。
【００３２】
孔３３はベ−ス板７の長手方向に平行な軸線を有し、その断面はピン３２の断面より大きい。中間板３０と接合片１９の下面との間にゴム緩衝材３４が配置され、該緩衝材は弾性変形によりベ−ス板に対する結合要素９ａの或る程度の運動、即ち孔３３内におけるピン３２の遊びによって決まる値の運動が許容される。
【００３３】
図１４および図１５は好ましい実施例として、それぞれスリット１５を備えたハウジング状の２つの支持ジョ−１３からなる結合要素９ｂを示す。ロック要素１６の代りにロック要素１６ａが備えられる。この実施例では回転のため軸２０に取付けられた２つのロック要素１６ａはそれぞれ板ばね３５によって錠止位置に押され、該錠止位置では各ロック要素１６ａの鉤状の部分２１ａはその上面がハウジング状の支持ジョ−１３から突出し且つ支持ジョ−１３の外側で対応のスリット１５の開いた上端を閉じ、スリット１５内に置かれた突起５を錠止する。さらに各ロック要素１６ａはばね３５の作用に対抗して揺動すると鉤状の部分２１ａが結合要素８から離れる側におけるスリット１５の側に位置する非錠止位置に移動するように構成される。
【００３４】
各結合要素１６ａは鉤状部分２１ａの自由端に傾斜面３６を有し、該傾斜面は軸２０の軸線に平行に延びる面内に在り、該面はベ−ス板７に対し９０度より小さい角度であり、該角度は後方に向って、即ち結合要素８から離れる側に向いた結合要素９ｂの側に開く。この結合部６ａにブ−ツを固定するためブ−ツ１の前端が先ず結合要素８のフ−プ１１に挿入される。次いでブ−ツ１の踵４を下降すると、突起５はフ−プ１１の前端を中心としたほぼ円弧に沿って移動して各突起が傾斜面３６に衝合する。ブ−ツ１の踵の区域が下降すると、突起５はロック要素１６ａの弾力的回避により対応のスリット１５の中に入るので、各ロック要素１６ａは板ばね３５の作用で錠止位置に戻り、突起５を対応のスリット１５内に錠止する。
【００３５】
結合要素９ａの場合にも軸２０の軸線および各スリット１５の長手方向は前述の傾斜を有する面Ｅ内に在る。結合を解放するには作動レバ−２７及び軸２０を介し２つのロック要素１６ａが非錠止位置に揺動される。
【００３６】
結合部６ａ及びその結合要素９ｂは極めて単純且つ高信頼性の構造を特徴とする。このロック装置は多くの要素を有しない。また、この鉤状のロック要素１６ａに関しては多くの要素が省かれる。
なお、上記実施例において、左右１対に設けられたロック要素１６あるいはロック要素１６ａはいずれも、図７および図１５に示すように、互いに平行な関係を有するように設けられている。
【００３７】
実施例に関し本発明を記載してきたが、本発明を基礎づける発明思想を離れることなく変形及び改変が可能なことは明らかである。
【００３８】
【発明の効果】
上記のように、本発明の結合装置ではブ−ツの先端を保持要素に挿入してブ−ツの突起を後部結合要素のくぼみに挿入することにより錠止され、煩雑で力を要する作業を必要としないで、及び簡単且つ好適にブ−ツを結合部に固定することができる。また信頼性がある上記固定が保証される。そして結合部からのブ−ツの解放も力の負荷を要しないで可能である。
【００３９】
また本発明の好適な態様ではブ−ツの軸線のまわりに作用する回転モ−メントがブ−ツとスノ−ボ−ドとの間で直接伝達されることも可能であり、直接のエッジコントロ−ルが達成される。さらに前部結合要素がスプリングフ−プで形成されればこの結合装置の前部結合要素と後部結合要素の間のブ−ツのクランピングは常に同じ力で且つ最適な力で達成され、ブ−ツが不用意に外れることが防止される。
【図面の簡単な説明】
【図１】ブ−ツが固定される前の状態をブ−ツの部分と共に示すスノ−ボ−ド又は滑り板の結合装置の概略的な側面図である。
【図２】結合部にブ−ツを固定した後の状態を示す図１に類似の側面図である。
【図３】ブ−ツの側面を部分的に示す概略図である。
【図４】ブ−ツの背面を部分的に示す概略図である。
【図５】本発明の第１の可能な実施例の後部結合要素の平面図である。
【図６】図５の線１−１に沿って取った断面図である。
【図７】スノ−ボ−ド又は結合部のベ−ス板に対する特殊なアタッチメントを備えた図５及び図６の後部結合要素の背面図である。
【図８】後部結合要素のわん曲状の接合片を示す図７に類似の概略図である。
【図９】図７の線２−２に沿って取った後部結合要素の断面図である。
【図１０】図７ないし図９に示す後部結合要素の特殊な保持用の固定板又は支持板の平面図である。
【図１１】図５及び図６の後部結合要素の錠止直前の状態を示す図６に類似の図である。
【図１２】図５及び図６の後部結合要素が錠止された状態を示す図６に類似の図である。
【図１３】図５及び図６の後部結合要素の解放直前の状態を示す図６に類似の図である。
【図１４】他の好ましい実施例の後部結合要素を示す図６に類似の図である。
【図１５】図１４に示す後部結合要素の背面図である。
【符号の説明】
１  ブ−ツ
３  段部
４  踵の区域
５  突起
６  結合部
８  前部結合要素
９  後部結合要素
１１  保持要素
１２  面
１３  ジョ−
１４  支持面
１５  くぼみ
１６  ロック要素
２０  軸
２１  ロック部分
２２  安全レバ−
２７  手動装置
２８  ラチェットレバ−
３５  ばね
【図１】
0003604169.tif 000002
【図２】
0003604169.tif 000003
【図３】
0003604169.tif 000004
【図４】
0003604169.tif 000005
【図５】
0003604169.tif 000006
【図６】
0003604169.tif 000007
【図７】
0003604169.tif 000008
【図８】
0003604169.tif 000009
【図９】
0003604169.tif 000010
【図１０】
0003604169.tif 000011
【図１１】
0003604169.tif 000012
【図１２】
0003604169.tif 000013
【図１３】
0003604169.tif 000014
【図１４】
0003604169.tif 000015
【図１５】
0003604169.tif 000016